(57)【要約】【課題】複数のコンロ部に対しタイマモードでの制御を実行できるようにすると共に、各タイマの残時間を単一の表示器で合理的に選択表示できるようした使い勝手の良い加熱調理器を提供する。【解決手段】コンロ用とグリル用の複数のタイマ１０２〜１０５の内からタイマ選択部１０６により選択されたタイマの残時間を表示器９６に表示する。タイマ選択部１０６は、タイマモードで制御中のコンロ部の順位が高くなり、且つ、タイマモードで制御中のコンロ部が複数あるときは、タイマの残時間が少ないコンロ部程順位が高くなるように優先順位を付け、タイマスイッチ９４の操作の度に表示器９６に残時間を表示するタイマを優先順位に従って切り替える。【選択図】図４
2006017344.tif 000002
【特許請求の範囲】
【請求項１】
複数のコンロ部を備える加熱調理器において、
これら複数のコンロ部に対応する複数のタイマを内蔵し、各コンロ部を、対応するタイマの残時間が零になったときに各コンロ部の作動を停止させるタイマモードで制御可能な制御手段と、
タイマの残時間を表示するための単一の表示器と、
タイマモードで制御中のコンロ部が複数あるときに、これらコンロ部に対応するタイマの残時間を切り替えスイッチの操作に応じて表示器に選択的に表示させるタイマ選択表示手段と、
表示器に表示されているタイマの残時間を変更するためのタイマ操作手段とを備え、
タイマ選択表示手段は、タイマモードで制御中のコンロ部が複数あるときに、これらタイマモードで制御中のコンロ部に対応するタイマに対し残時間が少ないタイマ程順位が高くなるように優先順位を付け、切り替えスイッチの操作の度に表示器に残時間を表示するタイマを優先順位に従って切り替えるように構成されていることを特徴とする加熱調理器。
【請求項２】
前記タイマ選択表示手段は、タイマモードで制御されていないコンロ部に対応するタイマの初期値をタイマモードで制御中のコンロ部に対応するタイマよりも低い順位で前記表示器に表示するように構成され、前記制御手段は、タイマモードで制御されていないコンロ部に対応するタイマの初期値が前記表示器に表示されている状態で前記タイマ操作手段による操作が行われたときに、当該コンロ部に対するタイマモードでの制御を開始するように構成されていることを特徴とする請求項１記載の加熱調理器。
【請求項３】
前記タイマ選択表示手段は、前記切り替えスイッチの操作で前記表示器に優先順位第１位以外のタイマの残時間が表示された時点から切り替えスイッチおよび前記タイマ操作手段が操作されないまま所定時間経過したとき、表示器に表示する残時間を優先順位第１位のタイマのものに切り替えるように構成されていることを特徴とする請求項１又は２記載の加熱調理器。
【請求項４】
請求項１〜３の何れか１項に記載の加熱調理器であって、グリルを備え、前記制御手段にグリル用タイマを内蔵させて、グリルに対してもタイマモードでの制御を可能とするものにおいて、前記タイマ選択表示手段は、グリルがタイマモードで制御されているときは、優先順位の第１位としてグリル用タイマを設定するように構成されていることを特徴とする加熱調理器。
【発明の詳細な説明】
【技術分野】
【０００１】
本発明は、複数のコンロ部を備えるガスコンロ等の加熱調理器に関する。
【背景技術】
【０００２】
従来、この種の加熱調理器として、複数のコンロ部のうちの１つの特定コンロ部で加熱される被加熱物の温度を検出する温度センサを設け、タイマを内蔵する制御手段により、特定コンロ部に対し、温度センサの検出温度に基づいて油温が設定温度に維持されるように加熱量の制御を行う揚げものモード、炊飯時の温度に応じた加熱量の制御を行う炊飯モード、沸騰後所定時間保温して熱源の作動を停止する湯わかしモードおよびタイマの残時間が零になったときに熱源の作動を停止するタイマモードでの制御を行い得られるようにしたものは知られている。
【０００３】
また、このような特定コンロ部を含む複数のコンロ部とグリルとを備える加熱調理器において、制御手段にグリル用タイマを内蔵させ、グリルに対してもタイマモードでの制御を可能としたものが知られている。この場合、タイマの残時間を表示する表示器と、タイマの残時間（設定時間）を変更するアップダウンスイッチ等のタイマ操作手段とを特定コンロ部用タイマとグリル用タイマとで個別に設けたのでは、部品点数が増すと共に、表示器とタイマ操作手段の配置スペースを広く確保することが必要なる。そこで、単一の表示器を用い、グリル用タイマの残時間と特定コンロ部用タイマの残時間とを切り替えスイッチの操作で表示器に選択的に表示し、表示器に表示されているタイマの残時間を単一のタイマ操作手段の操作で変更し得るようにしたものも知られている（例えば、特許文献１参照）。
【０００４】
ところで、使い勝手を向上するには、特定コンロ部だけでなく、複数のコンロ部の全てに対してタイマモードでの制御を可能にすることが望まれる。この場合、上記従来例の技術を利用し、タイマモードで制御中のコンロ部が複数あるときに、これらコンロ部に対応するタイマの残時間を切り替えスイッチの操作に応じて単一の表示器に選択的に表示させ、表示器に表示されているタイマの残時間をタイマ操作手段で変更し得るようにすることが考えられる。
【０００５】
然し、コンロ部の数が多くなると、ユーザが或るコンロ部用のタイマの残時間を直ちに確認したいと思っても、このタイマの残時間を表示させるまでに切り替えスイッチを何回も操作せざるを得なくなることがあり、使い勝手が悪くなる。
【特許文献１】特開平１１−２９４７７７号公報（００８５〜００８９、図３、図４）
【発明の開示】
【発明が解決しようとする課題】
【０００６】
本発明は、以上の点に鑑み、複数のコンロ部に対しタイマモードでの制御を実行できるようにすると共に、各タイマの残時間を単一の表示器で合理的に選択表示できるようした使い勝手の良い加熱調理器を提供することをその課題としている。
【課題を解決するための手段】
【０００７】
上記課題を解決するために、本発明は、複数のコンロ部を備える加熱調理器において、これら複数のコンロ部に対応する複数のタイマを内蔵し、各コンロ部を、対応するタイマの残時間が零になったときに各コンロ部の作動を停止させるタイマモードで制御可能な制御手段と、タイマの残時間を表示するための単一の表示器と、タイマモードで制御中のコンロ部が複数あるときに、これらコンロ部に対応するタイマの残時間を切り替えスイッチの操作に応じて表示器に選択的に表示させるタイマ選択表示手段と、表示器に表示されているタイマの残時間を変更するためのタイマ操作手段とを備え、タイマ選択表示手段は、タイマモードで制御中のコンロ部が複数あるときに、これらタイマモードで制御中のコンロ部に対応するタイマに対し残時間が少ないタイマ程順位が高くなるように優先順位を付け、切り替えスイッチの操作の度に表示器に残時間を表示するタイマを優先順位に従って切り替えるように構成されていることを特徴とする。
【０００８】
ユーザは、タイマの残時間が残り少なくなった段階で調理の出来具合を見て、残時間の変更をすることが多い。そして、本発明によれば、残時間の少ないタイマから順に表示器に表示されるため、ユーザが確認や変更を望むタイマの残時間が先に表示されることになり、使い勝手が良くなる。
【０００９】
また、前記タイマ選択表示手段は、タイマモードで制御されていないコンロ部に対応するタイマの初期値をタイマモードで制御中のコンロ部に対応するタイマよりも低い順位で前記表示器に表示するように構成され、前記制御手段は、タイマモードで制御されていないコンロ部に対応するタイマの初期値が前記表示器に表示されている状態で前記タイマ操作手段による操作が行われたときに、当該コンロ部に対するタイマモードでの制御を開始するように構成されていることが望ましい。
【００１０】
これによれば、タイマモードで制御されていないコンロ部に対しタイマモードでの制御開始する際、切り替えスイッチの操作でこのコンロ部に対応するタイマの初期値を表示器に表示して、タイマ操作手段による時間変更（設定）操作を行えば良い。従って、切り替えスイッチをコンロ部に対するタイマモードでの制御を指示するタイマモード指示スイッチに兼用でき、別途タイマモード指示スイッチを設けずに済み、部品点数、配置スペースの削減を図れる。
【００１１】
また、前記タイマ選択表示手段は、前記切り替えスイッチの操作で前記表示器に優先順位第１位以外のタイマの残時間が表示された時点から切り替えスイッチおよび前記タイマ操作手段が操作されないまま所定時間経過したとき、表示器に表示する残時間を優先順位第１位のタイマのものに切り替えるように構成されていることが望ましい。
【００１２】
これによれば、優先順位が第２位以下のタイマの残時間を一旦表示させた後そのまま放置しておいても、所定時間経過すると優先順位第１位のタイマの残時間が表示されることになる。従って、ユーザは優先順位第１位のタイマの残時間を確認するために一々切り替えスイッチを操作しなくても済み、使い勝手が向上する。
【００１３】
また、加熱調理器がグリルを備えるものであって、前記制御手段にグリル用タイマを内蔵させて、グリルに対してもタイマモードでの制御を可能とする場合には、前記タイマ選択表示手段は、グリルがタイマモードで制御されているときは、優先順位の第１位としてグリル用タイマを設定するように構成されていることが望ましい。
【００１４】
ここで、コンロ部が使用中であるか否かは容易に確認できるが、グリルが使用中であるか否かを確認するにはグリル内を覗き込まなくてはならない。上記の如くグリル用タイマを優先順位第１位に設定しておけば、表示器に通常はグリル用タイマの残時間が表示されることになり、グリル内を覗き込まずにグリルが使用中であることを確認でき、使い勝手が良くなる。
【００１５】
尚、後記する実施形態において、上記タイマ選択表示手段に相当するのは、図５に示す選択処理である。
【発明を実施するための最良の形態】
【００１６】
図１は、システムキッチンのカウンタトップ（図示せず）に組み込まれるドロップイン式の加熱調理器を示している。この加熱調理器の調理器本体１には、右側と左側と後側の３個のコンロ部２，３，４とグリル５とが配置されている。各コンロ部２，３，４は、調理器本体１に設けた熱源たるバーナ２１，３１，４１を備え、調理器本体１を上方から覆う天板６上に配置した各五徳７に載置する鍋等の被加熱物を各バーナ２１，３１，４１で加熱するように構成されている。尚、右コンロ部２のバーナ２１は、外向きの炎を形成する外炎式バーナで構成され、その内周空間には、被加熱物の底面に当接して被加熱物の温度を検出する温度センサ８が設けられている。また、左コンロ部３のバーナ３１と後コンロ部４のバーナ４１は、内向きの炎を形成する環状の内炎式バーナで構成され、これらバーナ３１，４１には温度センサが付設されていない。
【００１７】
調理器本体１の前面には、中央のグリル扉５ａと、グリル扉５ａの右側の前面パネル１ａと、グリル扉５ａの左側の前面パネル１ｂとが設けられている。そして、右前面パネル１ａの下部と上部に、グリル５用の点消火ボタン５２と火力調節レバー５３、右コンロ部２用の点消火ボタン２２と火力調節レバー２３が配置され、左前面パネル１ｂの下部と上部に、左コンロ部３用の点消火ボタン３２と火力調節レバー３３、後コンロ部４用の点消火ボタン４２と火力調節レバー４３が配置されている。また、右前面パネル１ａには、後記詳述する各種モードを選択するスイッチを配置した操作パネル部９が設けられている。
【００１８】
図２を参照して、各コンロ部２，３，４のバーナ２１，３１，４１とグリル５に設けられるグリルバーナ５１には、夫々、制御手段たるマイクロコンピュータから成るコントローラ１０で制御される電磁弁２４，３４，４４，５４と、火力調節レバー２３，３３，４３，５３で操作されるガス量調節弁２５，３５，４５，５５とを介してガスが供給される。ここで、各点消火ボタン２２，３２，４２，５２は、突出位置（消火位置）から押し込み位置（点火位置）に押し操作自在であり、点火位置で押し操作を解除すると、図示省略したプッシュプッシュ機構の働きで点火位置と消火位置の中間の燃焼位置に係止され、燃焼位置から再度押し操作すると、燃焼位置での係止が解除されて消火位置に復帰する。そして、点消火ボタン２２，３２，４２，５２の位置を検出するリミットスイッチ等の検出器（図示せず）からの信号をコントローラ１０に入力している。各点消火ボタン２２，３２，４２，５２が点火位置に押し込まれると、点消火ボタン２２，３２，４２，５２に連動するプッシュロッド（図示せず）を介して対応するバーナ用の電磁弁２４，３４，４４，５４が強制的に開弁されると共に、コントローラ１０により図外のイグナイタが作動され、各バーナに付設した点火プラグ（図示せず）での火花放電により対応するバーナに点火される。点火後は、コントローラ１０が各バーナ２１，３１，４１，５１に付設した火炎検知用の各熱電対２６，３６，４６，５６の出力を監視し、失火で各熱電対２６，３６，４６，５６の出力が所定の閾値以下になったとき、対応するバーナの電磁弁２４，３４，４４，５４を閉弁して、生ガスの放出を防止する。また、点消火ボタン２２，３２，４２，５２が消火位置に復帰すると、コントローラ１０は、対応するバーナの電磁弁２４，３４，４４，５４を閉弁して、当該バーナを消火する。尚、右コンロ部２のバーナ２１用のガス供給路には、火力を自動調節するためのバイパス電磁弁２７が設けられている。
【００１９】
また、コントローラ１０にはタイマ制御部１０１が内蔵されている。タイマ制御部１０１には、図４に示す如く、右コンロ部２用のタイマ（以下、右コンロタイマと記す）１０２と、左コンロ部３用のタイマ（以下、左コンロタイマと記す）１０３と、後コンロ部４用のタイマ（以下、後コンロタイマと記す）１０４と、グリル５用のタイマ（以下、グリルタイマと記す）１０５が設けられており、各コンロ部２，３，４とグリル５に対し、対応するタイマにより、タイマの残時間が零になったときに消火するタイマモードでの制御を実行できるようしている。
【００２０】
また、コントローラ１０は、温度センサ８を付設した右コンロ部２に対し、タイマモードの他に揚げものモード、炊飯モード、湯わかしモードでの制御も実行できるように構成されている。操作パネル９には、図３に示す如く、揚げものモードを選択する揚げものスイッチ９１と、炊飯モードを選択する炊飯スイッチ９２と、湯わかしモードを選択する湯わかしスイッチ９３と、タイマモードを選択するタイマスイッチ９４と、タイマの残時間を変更するタイマ操作手段たるアップダウンスイッチ９５と、タイマの残時間を表示する単一の表示器９６とが設けられている。
【００２１】
揚げものモードは、温度センサ８で検出される被加熱物の温度が所定の目標温度に維持されるように、バイパス電磁弁２７を開閉して、右コンロ部２の火力を制御するモードである。そして、揚げものスイッチ９１を押す度に、目標温度が順に１８０℃、２００℃、１６０℃に切り替わり、揚げものスイッチ９１を更に押すと、揚げものモードの選択がキャンセルされる。また、目標温度を表示するため、１６０℃、１８０℃、２００℃の各温度に対応するＬＥＤ９１ａ，９１ｂ，９１ｃが設けられており、切り替えられた目標温度に対応するＬＥＤ９１ａ，９１ｂ，９１ｃが点灯される。
【００２２】
炊飯モードは、温度センサ８で検出される被加熱物の温度が所定の炊飯制御シーケンスと一致するように、バイパス電磁弁２７を開閉して、右コンロ部２の火力を制御するモードである。そして、炊飯スイッチ９２を押す度に、炊飯制御シーケンスが順に洗米おきシーケンス、洗米すぐシーケンス、おかゆシーケンスに切り替わり、炊飯スイッチ９２を更に押すと、炊飯モードの選択がキャンセルされる。また、洗米おき、洗米すぐ、おかゆの各シーケンスに対応するＬＥＤ９２ａ，９２ｂ，９２ｃが設けられており、切り替えられたシーケンスに対応するＬＥＤ９２ａ，９２ｂ，９２ｃが点灯される。
【００２３】
湯わかしモードの設定には、保温設定と消火設定とがある。保温設定では、温度センサ８の検出温度から被加熱物の沸騰を検出した後、バイパス電磁弁２７を閉弁して右コンロバーナ２の火力を弱火にし、右コンロタイマ１０２の計時動作により沸騰検知から規定時間（例えば５分）経過後に右コンロバーナ２を消火する制御が行われ、また、消火設定では、沸騰を検出しても弱火にせずに、右コンロタイマ１０２の計時動作により沸騰検知から設定時間経過後に右コンロバーナ２を消火する制御が行われる。そして、湯わかしスイッチ９３を押す度に、湯わかしモードの設定が保温設定、消火設定の順に切り替わり、湯わかしスイッチ９３を更に押すと、湯わかしモードの選択がキャンセルされる。また、保温、消火の各設定に対応するＬＥＤ９３ａ，９３ｂが設けられており、切り替えられた設定に対応するＬＥＤ９３ａ，９３ｂが点灯される。尚、消火設定を選択したときは、表示器９６に右コンロタイマ１０２の設定時間（残時間の初期値）が表示され、アップダウンスイッチ９５の操作で設定時間を変更できる。
【００２４】
タイマモードでの制御は、上記の如く、全てのコンロ部２，３，４およびグリル５に対して実行可能である。この場合、各コンロ部２，３，４およびグリル５に対するタイマモードでの制御を指示する各別のタイマスイッチや、各コンロタイマ１０２，１０３，１０４およびグリルタイマ１０５の残時間を表示するための各別の表示器を設けたのでは、部品点数が増すと共に、スイッチ、表示器の配置スペースを広く確保することが必要になる。そこで、タイマ制御部１０１にタイマ選択部１０６を設け、単一のタイマスイッチ９４の操作に応じタイマ選択部１０１を介して各コンロタイマ１０２，１０３，１０４を起動させて、起動されたコンロタイマに対応するコンロ部に対しタイマモードでの制御を実行するようにし、更に、タイマスイッチ９４を表示切り替えのための切り替えスイッチに兼用し、タイマスイッチ９４の操作に応じタイマ選択部１０６を介してタイマ１０２，１０３，１０４，１０５の残時間を単一の表示器９６に選択的に表示させるようにしている。
【００２５】
また、タイマスイッチ９４の近傍には、右コンロ部２，左コンロ部３，後コンロ部４，グリル５に対応するＬＥＤ９４ａ，９４ｂ，９４ｃ，９４ｄが設けられており、表示器９６に残時間が表示されているタイマに対応するＬＥＤを点灯させて、右コンロ部２，左コンロ部３，後コンロ部４，グリル５のうち何れに対応するタイマの残時間が表示されているかを識別できるようにしている。更に、右コンロ部２，左コンロ部３，後コンロ部４，グリル５のうちタイマモードで制御中のものが複数あるときは、残時間が表示中でないタイマモード制御中のもののＬＥＤを点滅させ、タイマモードで制御中のものがどれであるかを識別できるようにしている。尚、残時間が表示中でないタイマモード制御中のコンロ部及びグリルのＬＥＤを点灯し、残時間が表示中のもののＬＥＤを点滅させるようにしても良く、また、各コンロ部２，３，４及びグリル５に対応する発光色の異なる各２個のＬＥＤを設け、残時間が表示中のものとそうでないものとで異なる発光色のＬＥＤを点灯させるようにしても良い。
【００２６】
タイマ選択部１０６での選択処理の内容は図５に示す通りであり、以下この点について説明する。選択処理に際しては、先ず、Ｓ１のステップでグリル５が使用中であるか否かを判別する。グリル５が使用中であれば、Ｓ２のステップで表示器９６にグリルタイマ１０５の残時間を表示する。グリルタイマ１０５の残時間の初期値は例えば８分に設定されており、グリル５の使用開始時にはこの初期値が表示される。そして、Ｓ３のステップでアップダウンスイッチ９５が操作されたか否かを判別し、操作されたときは、Ｓ４のステップでグリルタイマ１０５の残時間をアップダウンスイッチ９５の操作に応じて変更する。次に、Ｓ５のステップに進んでグリルタイマ１０５の残時間が零になったか否かを判別する。グリルタイマ１０５の残時間が零になったときは、Ｓ６のステップでグリルバーナ５１を消火して、Ｓ１のステップに戻る。尚、グリル５を使用するときは、常にグリルタイマ１０５が起動され、タイマモードでの制御が実行される。
【００２７】
グリルタイマ１０５の残時間が零になるまではＳ７のステップに進み、コンロ部２，３，４に対し優先順位を付ける優先順位決定処理が行われる。この処理では、使用中のコンロ部のうちタイマモードで制御中のコンロ部の方がタイマモードで制御されていないコンロ部より順位が高くなるように優先順位が付けられる。また、タイマモードで制御中のコンロ部が複数あるときには、これらコンロ部に対しタイマの残時間が少ないコンロ部程順位が高くなるように優先順位が付けられ、更に、タイマモードで制御されていないコンロ部が複数あるときは、各コンロ部２，３，４に対し予め設定した順序、例えば、左コンロ部３、右コンロ部２、後コンロ部４の順序で順位が付けられる。尚、不使用のコンロ部に対しては優先順位は付けない。
【００２８】
優先順位決定処理を行うと、Ｓ８のステップでタイマスイッチ９４が押されたか否かを判別し、タイマスイッチ９４が押されるまではＳ１のステップに戻って上記の処理を繰り返す。タイマスイッチ９４が押されると、Ｓ９のステップに進み、表示器９６での残時間の表示時間を所定時間（例えば、１５秒）に制限する制限タイマをリセットしてスタートさせる。次に、Ｓ１０のステップに進み、優先順位決定処理で第１位に設定されたコンロ部が存在するか否かを判別する。全てのコンロ部２，３，４が不使用であれば、第１位に設定されたコンロ部は存在せず、この場合はＳ１のステップに戻る。第１位に設定されたコンロ部が存在するときは、Ｓ１１のステップで第１位のコンロ部に対応する第１位コンロタイマの残時間を表示器９６に表示する。次に、Ｓ１２のステップでアップダウンスイッチ９５が操作されたか否かを判別し、操作されたときは、Ｓ１３のステップで制限タイマを再度リセットしてスタートすると共に、Ｓ１４のステップで第１位コンロタイマの残時間をアップダウンスイッチ９５の操作に応じて変更する。次に、Ｓ１５のステップで第１位コンロタイマの残時間が零になったか否かを判別し、零になったときに、Ｓ１６のステップで第１位のコンロ部のバーナを消火してＳ１のステップに戻る。第１位コンロタイマの残時間が零になるまでは、Ｓ１７のステップで制限タイマがタイムアップしたか否かを判別し、タイムアップしたときはＳ１のステップに戻る。タイムアップするまでは、Ｓ１８のステップでタイマスイッチ９４が押されたか否かを判別し、押されるまではＳ１２のステップに戻る。
【００２９】
従って、グリル５の使用中は、タイマスイッチ９４の操作で表示器９６に第１位コンロタイマの残時間が表示された時点からタイマスイッチ９４およびアップダウンスイッチ９５が操作されないまま制限タイマの設定時間が経過した場合、また、アップダウンスイッチ９５を操作したときは、その操作時点からタイマスイッチ９４が操作されないまま制限タイマの設定時間が経過した場合、表示器９６に表示される残時間がグリルタイマ１０５の残時間に切り替えられる。
【００３０】
Ｓ１８のステップでタイマスイッチ９４が押されたと判別されたときは、Ｓ１９のステップで制限タイマをリセットしてスタートした後Ｓ２０のステップに進み、優先順位決定処理で第２位に設定されたコンロ部が存在するか否かを判別する。第２位に設定されたコンロ部が存在しないときは、Ｓ１のステップに戻り、一方、第２位に設定されたコンロ部が存在するときは、Ｓ２１のステップで第２位のコンロ部に対応する第２位コンロタイマの残時間を表示器９６に表示する。次に、Ｓ２２のステップでアップダウンスイッチ９５が操作されたか否かを判別し、操作されたときは、Ｓ２３のステップで制限タイマを再度リセットしてスタートすると共に、Ｓ２４のステップで第２位コンロタイマの残時間をアップダウンスイッチ９５の操作に応じて変更する。次に、Ｓ２５のステップで第２位コンロタイマの残時間が零になったか否かを判別し、零になったときに、Ｓ２６のステップで第２位のコンロ部のバーナを消火してＳ１のステップに戻る。第２位コンロタイマの残時間が零になるまでは、Ｓ２７のステップで制限タイマがタイムアップしたか否かを判別し、タイムアップしたときはＳ１のステップに戻る。タイムアップするまでは、Ｓ２８のステップでタイマスイッチ９４が押されたか否かを判別し、押されるまではＳ２２のステップに戻る。
【００３１】
Ｓ２８のステップでタイマスイッチ９４が押されたと判別されたときは、Ｓ２９のステップで制限タイマをリセットしてスタートした後Ｓ３０のステップに進み、優先順位決定処理で第３位に設定されたコンロ部が存在するか否かを判別する。第３位に設定されたコンロ部が存在しないときは、Ｓ１のステップに戻り、一方、第３位に設定されたコンロ部が存在するときは、Ｓ３１のステップで第３位のコンロ部に対応する第３位コンロタイマの残時間を表示器９６に表示する。次に、Ｓ３２のステップでアップダウンスイッチ９５が操作されたか否かを判別し、操作されたときは、Ｓ３３のステップで制限タイマを再度リセットしてスタートすると共に、Ｓ３４のステップで第３位コンロタイマの残時間をアップダウンスイッチ９５の操作に応じて変更する。次に、Ｓ３５のステップで第３位コンロタイマの残時間が零になったか否かを判別し、零になったときに、Ｓ３６のステップで第３位のコンロ部のバーナを消火してＳ１のステップに戻る。第３位コンロタイマの残時間が零になるまでは、Ｓ３７のステップで制限タイマがタイムアップしたか否かを判別し、タイムアップするまではＳ２２のステップに戻り、タイムアップしたときはＳ１のステップに戻る。
【００３２】
グリル５が使用されていないときは、Ｓ１のステップからＳ３８のステップに進んで、Ｓ７のステップと同様のコンロ部２，３，４に対する優先順位決定処理を行う。次に、Ｓ３９のステップに進み、優先順位決定処理で第１位に設定されたコンロ部が存在するか否かを判別する。第１位に設定されたコンロ部が存在しない場合はＳ１のステップに戻り、一方、第１位に設定されたコンロ部が存在するときは、Ｓ４０のステップで第１位のコンロ部に対応する第１位コンロタイマの残時間を表示器９６に表示する。次に、Ｓ４１のステップでアップダウンスイッチ９５が操作されたか否かを判別し、操作されたときは、Ｓ４２のステップで第１位コンロタイマの残時間をアップダウンスイッチ９５の操作に応じて変更する。次に、Ｓ４３のステップで第１位コンロタイマの残時間が零になったか否かを判別し、零になったときに、Ｓ４４のステップで第１位のコンロ部のバーナを消火してＳ１のステップに戻る。第１位コンロタイマの残時間が零になるまでは、Ｓ４５のステップでタイマスイッチ９４が押された否かを判別し、押されるまではＳ４１のステップに戻り、押されたときに上述したＳ１９以下のステップに進む。
【００３３】
以上の選択処理によれば、グリル５を使用しているときは、タイマスイッチ９４の操作で何れかのコンロタイマの残時間が表示器９６に表示された状態で放置されても、制限タイマの設定時間が経過すると、表示器９６に表示される時間はグリルタイマ１０５の残時間に切り替えられる。その結果、グリル使用中はグリルタイマ１０５の残時間が優先的に表示されることになり、グリル５内を覗き込まなくてもグリル５が使用中であることを確認できる。
【００３４】
また、グリル５を使用していないときは、タイマスイッチ９４の操作で優先順位第２位以下のコンロタイマの残時間が表示器９６に表示された状態に放置されても、制限タイマの設定時間が経過すると、表示器９６に表示される時間は優先順位第１位のコンロタイマの残時間に切り替えられる。そして、タイマモードで制御中のコンロ部が複数ある場合、優先順位第１位のコンロタイマは残時間が最も少ないものになる。ここで、ユーザは、タイマの残時間が残り少なくなった段階で調理の出来具合を見て、残時間の変更をすることが多い。従って、ユーザが確認や変更を望むタイマの残時間が表示器９６に優先的に表示されることになり、使い勝手が良くなる。また、タイマスイッチ９４の操作で優先順位に従って各コンロタイマの残時間が表示されるため、残時間が表示されないままコンロ部が消火されて、ユーザに違和感を与えるようなことも回避できる。
【００３５】
また、各コンロタイマ１０２，１０３，１０４の残時間の初期値は零に設定されており、タイマモードで制御していないコンロ部のコンロタイマの初期値が表示器９６に表示された場合、このままではコンロ部のタイマモードでの制御は開始されず、アップダウンスイッチ９５の操作でコンロタイマの残時間を所望の時間に設定したときに、コンロタイマが起動されてコンロ部のタイマモードでの制御が開始される。ここで、タイマスイッチ９４とは別にタイマモードで制御していないコンロ部のコンロタイマの時間を表示させるスイッチを設けて、タイマモードで制御していないコンロ部のタイマモードでの制御を指示することも考えられるが、これではスイッチの数が増す。これに対し、本実施形態では、タイマモードで制御していないコンロ部のコンロタイマの初期値をタイマスイッチ９４の操作で表示器９６に表示させ、この状態でアップダウンスイッチ９５によりコンロタイマの時間設定操作を行うことによりコンロ部に対するタイマモードでの制御を実行することができる。従って、タイマモードで制御していないコンロ部のコンロタイマの時間を表示させるスイッチを別途設ける必要がなく有利である。尚、タイマスイッチ９４の操作によりタイマモードで制御していないコンロ部のコンロタイマが選択されたとき、コンロタイマの初期値として、表示器９６に時間設定操作を促す記号（横バー等）が点滅表示されるようにしても良い。
【００３６】
また、右コンロ部２の湯わかしモードでの制御を行っている場合、沸騰後にタイマスイッチ９４の操作で消火までの時間を表示器９６に表示させるようにすることも可能である。また、本実施形態では、揚げもの、炊飯、湯わかし、タイマの各モードにおける温度等の設定を表す数字、文字の脇にＬＥＤ９１ａ〜９４ｄを設けているが、数字、文字を透かし部として形成し、その裏面にＬＥＤを配置しても良い。
【００３７】
以上、コンロ部の熱源としてバーナを用いるガス加熱調理器について説明したが、コンロ部の熱源として電気ヒータや電磁誘導コイルを用いる電気式の加熱調理器にも同様に本発明を適用できる。
【図面の簡単な説明】
【００３８】
【図１】本発明の実施形態の加熱調理器の斜視図。
【図２】図１の加熱調理器の制御ブロック図。
【図３】図１の加熱調理器の操作パネル部の拡大正面図。
【図４】図２に示したコントローラのタイマ制御部のブロック図。
【図５】タイマ制御部のタイマ選択部による選択処理を示すフロー図。
【符号の説明】
【００３９】
２，３，４…コンロ部、５…グリル、９…操作パネル部、９４…タイマスイッチ（切り替えスイッチ）、９５…アップダウンスイッチ（タイマ操作手段）、９６…表示器，１０…コントローラ（制御手段）、１０２，１０３，１０４…コンロ用タイマ、１０５…グリル用タイマ、１０６…タイマ選択部。
【図１】
2006017344.tif 000003
【図２】
2006017344.tif 000004
【図３】
2006017344.tif 000005
【図４】
2006017344.tif 000006
【図５】
2006017344.tif 000007